(57)【特許請求の範囲】
【請求項１】
室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室内機の状態により、全ての室内機と通信不能な場合は通信異常と判定し、一部の室内機と通信可能な場合は、運転中の室内機がないとき、或いは、運転中の室内機があり、かつ、負荷回避が可能なときは上記通信不能な室内機を切り離して通信可能な他の室内機の制御を継続させ、運転中の室内機があり、かつ、負荷回避ができないときには通信異常と判定して、上記室外機及び上記室内機の全てを停止させるよう制御することを特徴とする空気調和システム。
【請求項２】
室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室外機がそれまで把握していた上記通信不能な室内機の状態により、当該通信不能となった室内機がそれまで運転中ではなく、かつ、それまで負荷回避先でなかった場合は、この通信不能な室内機を切り離して通信可能な他の室内機の制御を継続させ、当該通信不能となった室内機がそれまで運転中であった場合、或いは、当該室外機がそれまで運転中ではないが、それまで負荷回避先であった場合は、通信異常と判定して、上記室外機及び上記室内機の全てを停止させるよう制御することを特徴とする空気調和システム。
【請求項３】
室外機及び室内機を備えて一つの冷媒循環系統を構成する空気調和装置が一または複数設置され、上記室外機及び上記室内機の全てが単一の通信線にて接続された空気調和システムにおいて、上記室外機は、通信可能な室内機が増加したときに、新たに通信可能となった室内機の状態により、アドレス未定の室内機又はアドレス重複の室内機があり、かつ、冷媒循環系統が一系統である場合は全ての室内機を強制サーモＯＦＦ運転を行って各室内機のアドレス設定を行って、この通信可能となった室内機を組み入れて室内機の制御を継続し、アドレス未定の室内機又はアドレス重複の室内機があり、かつ、冷媒循環系統が複数系統である場合は通信異常と判定して、上記室外機及び上記室内機の全てを停止させるよう制御することを特徴とする空気調和システム。
【発明の詳細な説明】
【０００１】
【発明の属する技術分野】
本発明は、空気調和装置を構成する室外機及び室内機が単一の通信線にて接続され、この通信線を介して室外機が、当該室外機の属する冷媒循環系統において室内機を制御する空気調和システムに関する。
【０００２】
【従来の技術】
室外機及び室内機を備えて一つの冷媒循環系統を構成する空気調和装置が、一または複数設置された空気調和システムにあっては、室外機及び室内機の全てが単一の通信線により接続されたものがある。このような空気調和システムでは、各室外機が、当該室外機の属する冷媒循環系統において室内機を上記通信線を用いて制御している。
【０００３】
上述のような空気調和システムを建物に施工する場合には、室外機の制御装置に、当該室外機に冷媒配管を介して接続された室内機、つまり、当該室外機と同一冷媒循環系統にある室内機の台数が予め設定される。
【０００４】
そして、この空気調和システムを施工した後の最初の運転前に、各空気調和装置の室外機は上記通信線を用いて、自己と同一の冷媒循環系統の室内機へアドレスを設定する信号を送信し、返信があった室内機について順次アドレスを設定する。このとき、例えば、テナントがいない空室に対応する室内機であって、電源が切断されて通信不能となっている室内機がある場合には、通信線を用いてアドレスが設定された室内機の台数と、室外機の制御装置に前述の如く予め設定された室内機接続台数とが不一致となる場合がある。このような場合には、室外機は、異常であると判断して、室外機及び室内機の全てを停止させている。
【０００５】
また、空気調和システムの運転中に、例えば、待機電力削減のために電源が切断されて、室外機と通信不能となっている室内機が存在する場合にも、室外機は、予め設定された室内機接続台数と、通信可能な室内機台数とが不一致であり、通信異常であると判断して、室外機及び室内機の全てを停止させている。
【０００６】
【発明が解決しようとする課題】
ところが、上述のように、アドレスが設定された室内機の台数と、予め設定された室内機接続台数とが一致するか否かを判断してアドレスを設定していたのでは、このアドレス設定が繁雑な作業となってしまう。
【０００７】
また、通信可能な室内機の台数と、予め設定された室内機接続台数とが不一致の場合に、室外機及び室内機の全てを停止させていたのでは、室内機の運転を効率的に実施することができない。
【０００８】
上述の事情を考慮し、請求項１、２または３に記載の発明の目的は、室外機と通信中の室内機の台数に変動が生じても、室内機の運転を効率的に実施できる空気調和システムを提供することにある。
【０００９】
【課題を解決するための手段】
請求項１に記載の発明は、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室内機の状態により、全ての室内機と通信不能な場合は通信異常と判定し、一部の室内機と通信可能な場合は、運転中の室内機がないとき、或いは、運転中の室内機があり、かつ、負荷回避が可能なときは上記通信不能な室内機を切り離して通信可能な他の室内機の制御を継続させ、運転中の室内機があり、かつ、負荷回避ができないときには通信異常と判定して、上記室外機及び上記室内機の全てを停止させるよう制御することを特徴とするものである。
【００１２】
請求項２に記載の発明は、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室外機がそれまで把握していた上記通信不能な室内機の状態により、当該通信不能となった室内機がそれまで運転中ではなく、かつ、それまで負荷回避先でなかった場合は、この通信不能な室内機を切り離して通信可能な他の室内機の制御を継続させ、当該通信不能となった室内機がそれまで運転中であった場合、或いは、当該室外機がそれまで運転中ではないが、それまで負荷回避先であった場合は、通信異常と判定して、上記室外機及び上記室内機の全てを停止させるよう制御することを特徴とするものである。
【００１３】
請求項３に記載の発明は、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信可能な室内機が増加したときに、、新たに通信可能となった室内機の状態により、アドレス未定の室内機又はアドレス重複の室内機があり、かつ、冷媒循環系統が一系統である場合は全ての室内機を強制サーモＯＦＦ運転を行って各室内機のアドレス設定を行って、この通信可能となった室内機を組み入れて室内機の制御を継続し、アドレス未定の室内機又はアドレス重複の室内機があり、かつ、冷媒循環系統が複数系統である場合は通信異常と判定して、上記室外機及び上記室内機の全てを停止させるよう制御することを特徴とするものである。
【００１８】
請求項１に記載の発明には、次の作用がある。
【００１９】
室外機は、通信不能な室内機が生じたときに、当該室内機の状態により、通信不能な室内機を切り離して通信可能な他の室内機の制御を継続させ、または、通信異常と判定して、室外機及び室内機の全てを停止させるよう制御することから、例えば、室内機が待機電力削減のために電源が切断されて室外機と通信不能となっても、直ちに通信異常と判定して室外機及び室内機の全てを一律に停止させず、室内機の状態によっては、通信可能な他の室内機の運転を継続できる。この結果、室外機と通信中の室内機の台数が減少しても、室内機の運転を効率的に実施できる。
【００２０】
請求項２に記載の発明には、次の作用がある。
【００２１】
室外機は、通信不能な室内機が生じたときに、当該室外機がそれまで把握していた上記通信不能な室内機の状態により、この通信不能な室内機を切り離して通信可能な他の室内機の制御を継続させ、または、通信異常と判定して、室外機及び室内機の全てを停止させるよう制御することから、例えば、室内機が待機電力削減のために電源が切断されて室外機と通信不能となっても、直ちに通信異常と判定して室外機及び室内機の全てを一律に停止させず、この通信不能な室内機のそれまでの状態によっては、通信可能な他の室内機の運転を継続できる。この結果、室外機と通信中の室内機の台数が減少しても、室内機の運転を効率的に実施できる。
【００２２】
請求項３に記載の発明には、次の作用がある。
【００２３】
室外機は、通信可能な室内機が増加したときに、新たに通信可能となった室内機の状態により、この通信可能となった室内機を組み入れて室内機の制御を継続し、または、通信異常と判定して、室外機及び室内機の全てを停止させるよう制御することから、例えば、電源が投入されて室外機との通信が復活した室内機が生じたときに、直ちに通信異常とせず、新たに通信可能となった室内機の状態によっては、室外機と通信を継続している他の室内機とともに、新たに通信可能となった室内機の運転を即座に実施できる。この結果、室外機と通信中の室内機の台数が増加しても、室内機の運転を効率的に実施できる。
【００２４】
【発明の実施の形態】
以下、本発明の実施の形態を、図面に基づき説明する。
【００２５】
図１は、本発明に係る空気調和システムの一実施の形態を示す系統図である。この図１に示す空気調和システム３０は、第１空気調和装置３１、第２空気調和装置３２及び第３空気調和装置３３を有してなる。第１空気調和装置３１は、室外機１と室内機４とが冷媒配管３４を用いて接続されて、一つの冷媒循環系統を構成する。
【００２６】
また、第２空気調和装置３２は、室外機２と室内機５、６、７及び８とが冷媒配管３５を用いて接続されて、一つの冷媒循環系統を構成する。更に、第３空気調和装置３３は、室外機３Ａ及び３Ｂと、室内機９、１０、１１、１２、１３、１４，１５及び１６とが冷媒配管３６を用いて接続されて、一つの冷媒循環系統を構成する。
【００２７】
これらの空気調和システム３０では、室外機１、２、３Ａ及び３Ｂ並びに室内機４〜１６が、一本の通信線３７によって接続されている。この通信線３７を経て、第１空気調和装置３１では室外機１が室内機４との間で、第２空気調和装置３２では室外機２が室内機５〜８との間で、第３空気調和装置３３では室外機３Ａ及び３Ｂが室内機９〜１６との間で、それぞれ信号を送受信する。
【００２８】
第１空気調和装置３１では、リモートコントローラ１８から室内機４へ運転、停止などの指示が送信され、室内機４は、この信号を通信線３７を経て室外機１へ送信し、室外機１がこの信号に基づき通信線３７を経て室内機４を制御する。また、第２空気調和装置３２では、リモートコントローラ１９から室内機５、６、７及び８へ運転、停止などの指示が送信され、室内機５、６、７及び８はこの信号を通信線３７を経て室外機２へ送信し、室外機２がこの信号に基づき通信線３７を経て室内機５、６、７及び８を制御する。
【００２９】
更に、第３空気調和装置３３では、リモートコントローラ２０から室内機９へ、リモートコントローラ２１から室内機１０へ、リモートコントローラ２２から室内機１１へ、リモートコントローラ２３から室内機１２へ、リモートコントローラ２４から室内機１３へ、リモートコントローラ２５から室内機１４へ、リモートコントローラ２６から室内機１５へ、リモートコントローラ２７から室内機１６へそれぞれ運転、停止などの指示が送信される。これらの室内機９〜１６は、自身に送信された信号を通信線３７を経て室外機３Ａ及び３Ｂへ送信する。室外機３Ａ及び３Ｂは、室内機９〜１６から送信された各信号に基づき、通信線３７を経てこれらの各室内機９〜１６を制御する。
【００３０】
このような空気調和システム３０を建物に施工した後の最初の運転前に、冷媒循環系統を同一とする第１空気調和装置３１、第２空気調和装置３２、第３空気調和装置３３毎に室内機４〜１６にアドレスを設定する。このアドレス設定は次のように実行される。
【００３１】
つまり、まず、第１空気調和装置３１の室外機１が室内機４へ、第２空気調和装置３２の室外機２が室内機５〜８へ、第３空気調和装置３３の室外機３Ａまたは３Ｂが室内機９〜１６へ、それぞれアドレス設定用の信号を通信線３７を経て送信する。次に、室外機１に信号が送信されて通信が成立した室内機４について、室外機１が第１空気調和装置３１におけるアドレスを設定する。また、室外機２に信号が返信されて通信が成立した室内機５〜８について、室外機２が第２空気調和装置３２におけるアドレスを設定する。更に、室外機３Ａまたは３Ｂに信号が送信されて通信が成立した室内機９〜１６について、室外機３Ａまたは３Ｂが第３空気調和装置３３におけるアドレスを設定する。
【００３２】
室外機１、２、３Ａまたは３Ｂは、通信が成立してアドレスが設定された室内機４〜１６についてのみ制御を実行し、例えば、テナントがいない空室に対応する室内機４〜１６であって、電源が切断されて通信不能となっているものが存在していても異常と判定せず、これを無視してアドレス設定を終了する。
【００３３】
上記室内機４〜１６へのアドレスの設定は、上述の如く各第１空気調和装置３１、第２空気調和装置３２、第３空気調和装置３３毎に実施される。これは、第１空気調和装置３１の室外機１、第２空気調和装置３２の室外機２、第３空気調和装置３３の室外機３Ａ及び３Ｂを順次運転させ、これら運転中の室外機１、２、３Ａまたは３Ｂが、冷媒の温度変化を通信線３７を経て把握した室内機４〜１６に対してのみ、運転中の室外機１、２、３Ａまたは３Ｂの属する第１空気調和装置３１、第２空気調和装置３２または第３空気調和装置３３におけるアドレスを設定することによって実施される。室内機４〜１６のそれぞれには、図示しない室内熱交換器が配設されるとともに、この室内熱交換器内を流れる冷媒の温度変化を検出する温度センサが設置されている。上述の室内機４〜１６における冷媒の温度変化は、各室内機４〜１６の上記温度センサの検出値が、通信線３７を経て運転中の室外機１、２、３Ａまたは３Ｂへ送信されることによって、これらの室外機１、２、３Ａまたは３Ｂにより把握される。室外機１、２、３Ａまたは３Ｂは、このようにしてアドレスが設定された室内機４〜１６に対し制御を実行する。
【００３４】
このうち、２個の室外機３Ａ及び３Ｂが存在する第３空気調和装置３３にあっても、冷媒循環系統が同一であるため、通信が成立した室内機９〜１６に続き番号のアドレスが設定される。但し、室外機３Ａと室外機３Ｂとを区別するために、これらの室外機３Ａ、３Ｂには、固有の室外機アドレスが、各室外機３Ａ、３Ｂの制御装置におけるスイッチを用いて例えば手動で設定される。
【００３５】
次に、空気調和システム３０の各室外機１、２、３Ａ、３Ｂと各室内機４〜１６とにアドレスを設定した後に実施される、空気調和システム３０の通常運転中における室内機４〜１６の切り離し制御、組み入れ制御、異常判定について説明する。
【００３６】
［Ａ］切り離し制御、異常判定（図２、図３）
この切り離し制御、異常判定では、各室外機１、２、３Ａまたは３Ｂは、通信不能な室内機４〜１６が生じたときに、（ａ）図２に示すように室外機１、２、３Ａまたは３Ｂと室内機４〜１６の状態により、または、（ｂ）図３に示すように室外機１、２、３Ａまたは３Ｂがそれまで把握していた通信不能となった室内機４〜１６の状態により、これら（ａ）、（ｂ）のいずれの場合も、この通信不能となった室内機４〜１６を切り離して他の通信可能な室内機４〜１６の運転を継続させ、または、通信異常と判定して、全ての室外機１、２、３Ａ及び３Ｂ並びに室内機４〜１６を停止させる。
【００３７】
上記（ａ）の場合には、図２に示すように、各室外機１、２、３Ａまたは３Ｂは、通信線３７を用いて、自己が属する第１空気調和装置３１、第２空気調和装置３２または第３空気調和装置３３の室内機４〜１６に、通信不能な室内機が存在するか否かを判断する（ステップＳ１１）。各室外機１、２、３Ａまたは３Ｂは、このステップＳ１１において通信不能な室内機４〜１６が存在するときに、次に、自己が属する第１空気調和装置３１、第２空気調和装置３２または第３空気調和装置３３の全ての室内機４〜１６と通信不能であるか否かを、通信線３７を用いて判断する（ステップＳ１２）。
【００３８】
各室外機１、２、３Ａまたは３Ｂは、通信線３７を用いて、自己が属する第１空気調和装置３１、第２空気調和装置３２または第３空気調和装置３３の全ての室内機４〜１６と通信不能な場合には通信異常であると判断して、室外機１、２、３Ａ及び３Ｂ並びに室内機４〜１６の全てを停止させる（ステップＳ１３）。
【００３９】
ステップＳ１２において、各室外機１、２、３Ａまたは３Ｂは、通信線３７を用いて、自己が属する第１空気調和装置３１、第２空気調和装置３２または第３空気調和装置３３の室内機４〜１６に通信可能な室内機がある場合には、次に、自己が属する第１空気調和装置３１、第２空気調和装置３２、第３空気調和装置３３に運転中の室内機４〜１６があるか否かを判断する（ステップＳ１４）。各室外機１、２、３Ａまたは３Ｂは、通信線３７を用いて、自己が属する第１空気調和装置３１、第２空気調和装置３２または第３空気調和装置３３に運転中の室内機４〜１６がない場合には、通信不能となった室内機４〜１６を切り離し制御し、現在通信可能な室内機４〜１６について制御を実施する（ステップＳ１５）。
【００４０】
ステップＳ１４において、各室外機１、２、３Ａまたは３Ｂは、通信線３７を用いて、自己が属する第１空気調和装置３１、第２空気調和装置３２または第３空気調和装置３３に運転中の室内機４〜１６がある場合には、次に、負荷回避運転ができない状態であるか否かを判断する（ステップＳ１６）。この負荷回避運転とは、室外機１、２、３Ａまたは３Ｂにおける各圧縮機の負荷が過大である場合に、この室外機１、２、３Ａまたは３Ｂが属する第１空気調和装置３１、第２空気調和装置３２、第３空気調和装置３３において停止中の室内機４〜１６へ冷媒を流して、上記圧縮機の負荷を回避する運転である。
【００４１】
例えば、この負荷回避運転は、第２空気調和装置３２における室内機５のみが暖房運転中で室内機６、７及び８が停止しているときに、室内機５のみによっては冷媒を十分に凝縮することができずに冷媒圧力が上昇して、室外機２の圧縮機が定格以上の動力で運転中であるときに、室内機６及び７へ冷媒を流し、これらの室内機６及び７によっても冷媒を凝縮させ、これによって冷媒の圧力を低下させて、室外機２の圧縮機の動力を減少させ、この圧縮機の負荷を回避させる運転である。
【００４２】
上述の負荷回避運転を実施可能とするためには、現在停止中の室内機４〜１６に電源が投入されていることが必要であり、電源が切断されて通信不能となっている場合には、この室内機４〜１６を負荷回避先室内機とすることができず、負荷回避できない状態となる。
【００４３】
ステップＳ１６において、各室外機１、２、３Ａまたは３Ｂは、通信線３７を用いて、自己が属する第１空気調和装置３１、第２空気調和装置３２または第３空気調和装置３３の室内機４〜１６が負荷回避先となり得ないと判断したときに、通信異常と判断して、室外機１、２、３Ａ及び３Ｂ並びに室内機４〜１６の全てを停止させる（ステップＳ１３）。
【００４４】
また、ステップＳ１６において、各室外機１、２、３Ａまたは３Ｂは、通信線３７を用いて、自己が属する第１空気調和装置３１、第２空気調和装置３２または第３空気調和装置３３の室内機４〜１６のうち、負荷回避先となり得るものがある場合には、通信不能となった室内機４〜１６を切り離し制御し、現在通信されている室内機４〜１６について制御を実行する。各室外機１、２、３Ａまたは３Ｂは、上述のステップＳ１１〜ステップＳ１６を繰り返し実行する。
【００４５】
前記（ｂ）の場合には、図３に示すように、各室外機１、２、３Ａまたは３Ｂは、通信線３７を用いて、自己が属する第１空気調和装置３１、第２空気調和装置３２または第３空気調和装置３３の室内機４〜１６に、通信不能な室内機が存在するか否かを判断する（ステップＳ２１）。各室外機１、２、３Ａまたは３Ｂは、このステップＳ２１において通信不能な室内機４〜１６が存在する場合に、その通信不能となった室内機４〜１６がそれまで運転中であったか否かを判断し（ステップＳ２２）、運転中であった場合には、通信線３７に断線等の故障があると判断して通信異常と判定し、室外機１、２、３Ａ及び３Ｂ並びに室内機４〜１６の全てを停止させる（ステップＳ２３）。
【００４６】
ステップＳ２２において、通信不能となった室内機４〜１６がそれまで運転中でなかった場合には、その室内機４〜１６が負荷回避先の室内機として冷媒が流れていたか否かを判断する（ステップＳ２４）。
【００４７】
このステップＳ２４において、通信不能となった室内機４〜１６が負荷回避先であった場合には、膨張弁が開弁状態となっている場合があるので、通信異常と判定して、室外機１、２、３Ａ及び３Ｂ並びに室内機４〜１６の全てを停止させる（ステップＳ２３）。
【００４８】
ステップＳ２４において、通信不能となった室内機４〜１６が、負荷回避先でなかった場合には、通信不能となった室内機４〜１６を切り離し制御し、現在通信可能な室内機４〜１６の制御を継続させる（ステップＳ２５）。各室外機１、２、３Ａまたは３Ｂは、上述のステップＳ２１〜Ｓ２５を繰り返す。
【００４９】
［Ｂ］組み入れ制御、異常判定（図４、図５）
この組み入れ制御及び異常判定では、各室外機１、２、３Ａまたは３Ｂは、通信可能な室内機４〜１６が増加したときに、新たに通信可能となった室内機と室外機との少なくとも一方の状態、つまり、（ｃ）図４に示すように室外機１、２、３Ａまたは３Ｂと室内機４〜１６の状態により、または（ｄ）図５に示すように室内機４〜１６の状態により、これら（ｃ）と（ｄ）のいずれの場合にも、通信可能となった室内機４〜１６を組み入れて室内機の制御を継続し、または異常と判定して室外機１、２、３Ａ及び３Ｂ並びに室内機４〜１６の全てを停止させる。
【００５０】
上記（ｃ）の場合には、図４に示すように、各室外機１、２、３Ａまたは３Ｂは、通信線３７を用いて、自己が属する第１空気調和装置３１、第２空気調和装置３２または第３空気調和装置３３の室内機４〜１６に通信可能な室内機が増えたか否かを判断する（ステップＳ３１）。各室外機１、２、３Ａまたは３Ｂは、このステップＳ３１において通信可能な室内機４〜１６が増えた場合には、通信線３７を用いて、その増加した室内機のアドレスが未設定であるか否かを判断し（ステップＳ３２）、既にアドレスが設定されている場合には、次に、自己が属する第１空気調和装置３１、第２空気調和装置３２、第３空気調和装置３３において、アドレスが重複しているか否かを判断する（ステップＳ３３）。
【００５１】
ステップＳ３２及びステップＳ３３において、新たに通信可能となった室内機４〜１６にアドレスが設定され、且つそのアドレスが重複していない場合には、新たに通信可能となった当該室内機４〜１６は、例えば、待機電力削減のために電源が切断されていたが、その後電源が復活して通信可能となった室内機４〜１６であると判断できる。このような場合には、各室外機１、２、３Ａまたは３Ｂは、上述の新たに通信可能となった室内機４〜１６を組み入れ制御し、この室内機４〜１６を含め、現在通信可能な室内機４〜１６の制御を継続する（ステップＳ３４）。
【００５２】
各室外機１、２、３Ａまたは３Ｂは、新たに通信可能となった室内機４〜１６が、ステップＳ３２においてアドレス未設定であると判断し、また、ステップＳ３３においてアドレスが重複していると判断したとき、前者の場合には、新たに通信可能となった室内機４〜１６は、新たに設置された室内機であると認識でき、また、後者の場合には、通信可能となった室内機４〜１６は、他の空気調和装置から移設された室内機であると認識できる。そして、これらの各室外機１、２、３Ａまたは３Ｂは、次に、空気調和システム３０に冷媒循環系統が、つまり空気調和装置が複数有るか否かを判断する（ステップＳ３５）。
【００５３】
空気調和装置が単数である場合には、この空気調和装置の室外機は、その空気調和装置の全ての室内機を強制サーモＯＦＦ運転（つまり、室内機のファンの稼動は継続するが、室内熱交換器への冷媒の流出入を停止させる運転）とし、この間に当該単一の空気調和装置の全ての室内機に、自動でアドレスを設定する（ステップＳ３６）。このアドレス設定は、短時間（例えば１〜２分間）で終了するので、この単一の空気調和装置の室内機は、アドレス設定終了後、強制サーモＯＦＦ運転を解除して（ステップＳ３７）、新たに通信可能となった室内機を組み入れ制御する。
【００５４】
ステップＳ３５において、空気調和装置が複数ある空気調和システム３０のような場合には、通信異常と判断し、室外機１、２、３Ａ及び３Ｂ並びに室内機４〜１６の全てを停止させる（ステップＳ３８）。これは、空気調和装置が複数ある場合、各第１空気調和装置３１、第２空気調和装置３２、第３空気調和装置３３毎に、それぞれの室外機１、２、３Ａまたは３Ｂを運転させ、室内熱交換器を流れる冷媒に温度変化があった室内機４〜１６につきアドレスを設定しなければならず、このアドレス設定に多大な時間を必要とするからである。
【００５５】
各室外機１、２、３Ａまたは３Ｂは、上述のステップＳ３１〜Ｓ３８を繰り返すが、ステップＳ３４において組み入れられた、新たに通信可能となった室内機４〜１６について前記（ｄ）の制御を実行する。
【００５６】
この（ｄ）の場合には、図５に示すように、各室外機１、２、３Ａまたは３Ｂは、前記ステップＳ３４にて新たに組み入れられた室内機４〜１６に、リモートコントローラ１８〜２７を用いて運転指示があったか否かを判断し（ステップＳ４１）、指示がなければ、新たに組み入れられた室内機４〜１６に対し何の制御も実行しない（ステップＳ４２）。
【００５７】
ステップＳ４１において運転指示があった場合には、各室外機１、２、３Ａまたは３Ｂは、新たに組み入れられた室内機４〜１６に設定されているアドレスに基づく冷媒循環系統（つまり第１空気調和装置３１、第２空気調和装置３２または第３空気調和装置３３）の運転状態と、その新たに組み入れられた室内機４〜１６の前記温度センサの検出値（当該室内機４〜１６の室内熱交換器内を流れる冷媒温度）とが対応しているか否かを、通信線３７を用いて判断する（ステップＳ４３）。
【００５８】
例えば、第３空気調和装置３３の室内機１６が第２空気調和装置３２に移設されて、この室内機１６のアドレスが第３空気調和装置３３におけるアドレスのままであった場合、この室内機１６に運転指示が送信されると、第３空気調和装置３３の室外機３Ａ及び３Ｂが冷房又は暖房運転する。しかし、室内機１６は既に第２空気調和装置３２の冷媒配管３５に接続されているので、上記室外機３Ａ及び３Ｂの運転によってもこの室内機１６の室内熱交換器内の冷媒温度が変化せず、室内機１６の冷媒温度と第３空気調和装置３３の運転状態とが対応した関係とはならなくなる。
【００５９】
このように、ステップＳ４３において、新たに組み入れられた室内機４〜１６に設定されたアドレスに基づく第１空気調和装置３１、第２空気調和装置３２または第３空気調和装置３３の運転状態と、この新たに組み入れられた室内機４〜１６の冷媒温度とが対応していない場合には、各室外機１、２、３Ａまたは３Ｂは通信異常と判定して、室外機１、２、３Ａ及び３Ｂ並びに室内機４〜１６の全てを停止させ（ステップＳ４４）、対応している場合には、新たに組み入れられた室内機４〜１６のアドレスが適正であると判定して、この新たに組み入れられた室内機４〜１６の制御を継続する（ステップＳ４２）。
【００６０】
従って、上記実施の形態の空気調和システム３０によれば、次の効果▲１▼〜▲６▼を奏する。
【００６１】
▲１▼室外機１、２、３Ａまたは３Ｂは、当該室外機１、２、３Ａまたは３Ｂが属する第１空気調和装置３１、第２空気調和装置３２、第３空気調和装置３３内にあって、通信線３７を介して通信が成立した室内機４〜１６に対してのみアドレスを設定し、このアドレスが設定された室内機４〜１６に対して制御を実行することから、通信が成立しない室内機４〜１６、例えば、空気調和システム３０が一つの建物に施工された場合、テナントがいない空室に対する室内機４〜１６であって、電源が切断されて通信不能となっている室内機があっても、異常と判定して室外機１、２、３Ａ及び３Ｂ並びに室内機４〜１６の全てを一律に停止させず、この通信不成立な室内機４〜１６を無視し、通信可能な他の室内機４〜１６に対して制御を実行するので、室内機４〜１６のアドレス設定を容易に完了できる。
【００６２】
▲２▼第１空気調和装置３１の室外機１、第２空気調和装置３２の室外機２、第３空気調和装置３３の室外機３Ａ及び３Ｂは、それぞれ、当該室外機１、２、３Ａ、３Ｂの運転による温度変化を通信線３７を介して把握した室内機４〜１６に対してのみ、当該第１空気調和装置３１、第２空気調和装置３２、第３空気調和装置３３におけるアドレスを設定し、このアドレスが設定された室内機４〜１６に対して制御を実行することから、温度変化が通信により把握されなかった室内機４〜１６が存在しても異常と判定せず、この室内機４〜１６を無視し、この温度化が通信により把握された他の室内機４〜１６に対して制御を実行する。このため、各第１空気調和装置３１、第２空気調和装置３２、第３空気調和装置３３毎に実施される室内機４〜１６のアドレス設定を容易に完了できる。
【００６３】
▲３▼室外機１、２、３Ａまたは３Ｂは、通信不能な室内機４〜１６が生じたときに、当該室外機１、２、３Ａまたは３Ｂの状態により、通信不能な室内機４〜１６を切り離して通信可能な他の室内機４〜１６の制御を継続させ、または、通信異常と判定して、室外機１、２、３Ａ及び３Ｂ並びに室内機４〜１６の全てを停止させるよう制御することから、例えば、室内機４〜１６が待機電力削減のために手動または自動によって電源が切断されて室外機１、２、３Ａまたは３Ｂと通信不能となっていても、直ちに通信異常と判定して室外機１、２、３Ａ及び３Ｂ並びに室内機４〜１６の全てを一律に停止させず、図２のステップＳ１２、Ｓ１４及びＳ１６に示す室外機１、２、３Ａまたは３Ｂと室内機４〜１６の状態によっては、通信可能な他の室内機４〜１６の運転を継続できる。この結果、室外機１、２、３Ａまたは３Ｂと通信中の室内機４〜１６の台数が減少しても、室内機４〜１６の運転を効率的に実施できる。
【００６４】
▲４▼室外機１、２、３Ａまたは３Ｂは、通信不能な室内機４〜１６が生じたときに、当該室外機１、２、３Ａまたは３Ｂがそれまで把握していた通信不能な室内機４〜１６の状態により、この通信不能な室内機４〜１６を切り離して通信可能な他の室内機４〜１６の制御を継続させ、または、通信異常と判定して、室外機１、２、３Ａ及び３Ｂ並びに室内機４〜１６の全てを停止させるよう制御することから、例えば、室内機４〜１６が待機電力削減のために手動または自動で電源が切断されて室外機１、２、３Ａまたは３Ｂと通信不能となっていても、直ちに通信異常と判断して、室外機１、２、３Ａ及び３Ｂ並びに室内機４〜１６の全てを一律に停止させず、図３のステップＳ２２及びＳ２３に示す室内機４〜１６のそれまでの状態によっては、通信可能な他の室内機４〜１６の運転を継続できる。この結果、室外機１、２、３Ａまたは３Ｂと通信中の室内機４〜１６の台数が減少しても、室内機４〜１６の運転を効率的に実施できる。
【００６５】
▲５▼室外機１、２、３Ａまたは３Ｂは、通信可能な室内機４〜１６が増加したときに、新たに通信可能となった室内機４〜１６と当該室外機１、２、３Ａまたは３Ｂの少なくとも一方の状態により、この通信可能となった室内機４〜１６を組み入れて室内機４〜１６の制御を継続し、または通信異常と判定して、室外機１、２、３Ａ及び３Ｂ並びに室内機４〜１６の全てを停止させるよう制御することから、例えば、電源が投入されて室外機１、２、３Ａまたは３Ｂとの通信が復活した室内機４〜１６が生じたときに、直ちに通信異常とせず、図４のステップＳ３２、Ｓ３３、Ｓ３５と図５のステップＳ４３に示すような、新たに通信可能となった室内機４〜１６と当該室外機１、２、３Ａまたは３Ｂとの状態によっては、室外機１、２、３Ａまたは３Ｂと通信を継続している他の室内機４〜１６とともに、新たに通信可能となった室内機４〜１６の運転を即座に実施できる。この結果、室外機１、２、３Ａまたは３Ｂと通信中の室内機４〜１６の台数が増加しても、室内機４〜１６の運転を効率的に実施できる。
【００６６】
▲６▼室内機４〜１６のアドレス設定時に、室外機１、２、３Ａまたは３Ｂに現実に接続された室内機４〜１６の接続台数と、通信線３７を用いて室外機１、２、３Ａまたは３Ｂによりアドレスが設定された室内機４〜１６の台数とが比較されないので、空気調和システム３０の施工時に、室外機１、２、３Ａまたは３Ｂに現実に接続された室内機４〜１６の接続台数を、各室外機１、２、３Ａまたは３Ｂの制御装置に手動で設定する作業が不要となる。このため、空気調和システム３０の施工を簡便化できる。
【００６７】
以上、本発明を上記実施の形態に基づいて説明したが、本発明はこれに限定されるものではない。
【００６８】
【発明の効果】
請求項１に記載の発明に係る空気調和システムによれば、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室内機の状態により、上記通信不能な室内機を切り離して通信可能な他の室内機の制御を継続させ、または、通信異常と判定して、上記室外機及び上記室内機の全てを停止させるよう制御することから、室外機と通信中の室内機の台数に変動が生じても、室内機の運転を効率的に実施できる。
【００７１】
請求項２に記載の発明に係る空気調和システムによれば、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信不能な室内機が生じたときに、当該室外機がそれまで把握していた上記通信不能な室内機の状態により、この通信不能な室内機を切り離して通信可能な他の室内機の制御を継続させ、または、通信異常と判定して、上記室外機及び上記室内機の全てを停止させるよう制御することから、室外機と通信中の室内機の台数に変動が生じても、室内機の運転を効率的に実施できる。
【００７２】
請求項３に記載の発明に係る空気調和システムによれば、室外機及び室内機を備えて一つの冷媒循環系統を構成する空気調和装置が一または複数設置され、上記室外機及び上記室内機の全てが単一の通信線にて接続された空気調和システムにおいて、上記室外機は、通信可能な室内機が増加したときに、新たに通信可能となった室内機の状態により、この通信可能となった室内機を組み入れて室内機の制御を継続し、または、通信異常と判定して、上記室外機及び上記室内機の全てを停止させるよう制御することから、室外機と通信中の室内機の台数に変動が生じても室内機の運転を効率的に実施できる。
【図面の簡単な説明】
【図１】本発明に係る空気調和システムの一実施の形態を示す系統図である。
【図２】図１の空気調和システムにおいて、室内機の切り離し制御の一例を示すフローチャートである。
【図３】図１の空気調和システムにおいて、室内機の切り離し制御の他の例を示すフローチャートである。
【図４】図１の空気調和システムにおいて、室内機の組み入れ制御の一例を示すフローチャートである。
【図５】図１の空気調和システムにおいて、室内機の組み入れ制御の他の例を示すフローチャートである。
【符号の説明】
１、２、３Ａ、３Ｂ  室外機
４〜１６  室内機
３０  空気調和システム
３１  第１空気調和装置
３２  第２空気調和装置
３３  第３空気調和装置
３７  通信線
【図１】
0004493123.tif 000002
【図２】
0004493123.tif 000003
【図３】
0004493123.tif 000004
【図４】
0004493123.tif 000005
【図５】
0004493123.tif 000006